(57)【特許請求の範囲】
【請求項１】
圧縮機、蒸発器及び冷媒対水熱交換器を有するヒートポンプユニットと、
このヒートポンプユニットの冷媒対水熱交換器で加熱された水を貯留可能にする貯湯タンクとを備えたヒートポンプ式給湯装置において、
前記貯湯タンクの水を前記冷媒対水熱交換器へ導く供給管を備え、
この供給管にはこの供給管を流れる水の熱を放熱する放熱器を接続し、この放熱器を前記蒸発器と一体に又は前記蒸発器に隣接して配置したことを特徴とするヒートポンプ式給湯装置。
【請求項２】
前記放熱器をバイパスして前記貯湯タンクから前記冷媒対水熱交換器へ水を流すバイパス管を前記供給管に並列に接続し、このバイパス管に電磁弁を設け、
前記貯湯タンクから流出する水の温度を検知する温度検知手段と、
この温度検知手段の検知結果に応じて前記電磁弁を弁開閉制御する制御手段とを備え、
前記制御手段は、前記温度検知手段により検知した水温が前記冷媒対水熱交換器における加熱限界温度よりも低いときに前記電磁弁を開き、水温が前記冷媒対水熱交換器における加熱限界温度に達したときに前記電磁弁を閉じる制御を行うことを特徴とする請求項１に記載のヒートポンプ式給湯装置。
【請求項３】
前記放熱器をバイパスして前記貯湯タンクから前記冷媒対水熱交換器へ水を流すバイパス管を前記供給管に並列に接続し、このバイパス管ｓに第二電磁弁を設け、前記供給管において前記貯湯タンクからの水が前記バイパス管へ流れる分岐点と前記冷媒対水熱交換器との間に第一電磁弁を設け、
前記貯湯タンクから流出する水の温度を検知する温度検知手段と、
この温度検知手段の検知結果に応じて前記第一、第二電磁弁を選択的に弁開閉制御する制御手段とを備え、
前記制御手段は、前記温度検知手段により検知した水温が前記冷媒対水熱交換器の加熱限界温度よりも低いときに、前記第一電磁弁を閉じる一方で前記第二電磁弁を開く制御を行い、水温が前記冷媒対水熱交換器の加熱限界温度に達したときに前記第一電磁弁を開く一方で前記第二電磁弁を閉じる制御を行うことを特徴とする請求項１に記載のヒートポンプ式給湯装置。
【請求項４】
前記蒸発器は、フィンとこのフィンに装入されるチューブとを備え、このチューブは、冷媒を流す冷媒チューブと水を流す水チューブとからなり、この水チューブが前記放熱器を構成することを特徴とする請求項１乃至３のいずれかに記載のヒートポンプ式給湯装置。
【請求項５】
前記放熱器は、前記蒸発器の風下に配置されることを特徴とする請求項１乃至３のいずれかに記載のヒートポンプ式給湯装置。
【請求項６】
前記放熱器は、前記蒸発器の風下に配置され、かつ、前記蒸発器に隣接して配置されることを特徴とする請求項１乃至３のいずれかに記載のヒートポンプ式給湯装置。
【請求項７】
前記放熱器は、蛇行形状の管であることを特徴とする請求項５または６記載のヒートポンプ式給湯装置。
【請求項８】
前記管に放熱フィンを取り付けたことを特徴とする請求項７に記載のヒートポンプ式給湯装置。
【請求項９】
前記管に繊維状放熱体を巻き付けたことを特徴とする請求項７に記載のヒートポンプ式給湯装置。
【発明の詳細な説明】
【０００１】
【発明の属する技術分野】
本発明は、冷媒熱により水を加熱する冷媒対水熱交換器を備えたヒートポンプ式給湯装置に関する。
【０００２】
【従来の技術】
従来のヒートポンプ式給湯装置は冷媒対水熱交換器を備え、この冷媒対水熱交換器に、貯湯タンクの下部から水を引き込んで、冷媒熱により水を加熱して、この加熱した湯を貯湯タンクに貯留可能としたものがある。
【０００３】
【発明が解決しようとする課題】
しかし、従来の構成では、冷媒対水熱交換器に流入する水の温度が高くなった場合、冷媒と水との温度差が小さくなるため、冷媒対水熱交換器における冷媒と水との熱交換効率が著しく低下する。
【０００４】
また、冷媒の圧力が高くなり圧縮機の容器内の圧力が高くなるため、ヒートポンプ側の出力を抑えなければならなくなる。ヒートポンプ側の出力を抑えた場合、貯湯タンクへの高温（約６０〜９０℃）の貯湯が必要なとき、冷媒対水熱交換器において、必要温度までの水の加熱が出来なくなる恐れがあり、貯湯タンク内の熱量不足が生じるという問題がある。
【０００５】
本発明の目的は、上述の事情を考慮してなされたものであり、冷媒対水熱交換器の熱交換効率を向上させることができ、貯湯タンク内の貯蓄熱量を上げることができるヒートポンプ式給湯装置を提供することにある。
【０００６】
【課題を解決するための手段】
請求項１記載の発明は、圧縮機、蒸発器及び冷媒対水熱交換器を有するヒートポンプユニットと、このヒートポンプユニットの冷媒対水熱交換器で加熱された水を貯留可能にする貯湯タンクとを備えたヒートポンプ式給湯装置において、前記貯湯タンクの水を前記冷媒対水熱交換器へ導く供給管を備え、この供給管にはこの供給管を流れる水の熱を放熱する放熱器を接続し、この放熱器を前記蒸発器と一体に又は前記蒸発器に隣接して配置したことを特徴とするものである。
【０００７】
請求項２記載の発明は、請求項１に記載の発明において、前記放熱器をバイパスして前記貯湯タンクから前記冷媒対水熱交換器へ水を流すバイパス管を前記供給管に並列に接続し、このバイパス管に電磁弁を設け、前記貯湯タンクから流出する水の温度を検知する温度検知手段と、この温度検知手段の検知結果に応じて前記電磁弁を弁開閉制御する制御手段とを備え、前記制御手段は、前記温度検知手段により検知した水温が前記冷媒対水熱交換器における加熱限界温度よりも低いときに前記電磁弁を開き、水温が前記冷媒対水熱交換器における加熱限界温度に達したときに前記電磁弁を閉じる制御を行うことを特徴とするものである。
【０００８】
請求項３記載の発明は、請求項１に記載の発明において、前記放熱器をバイパスして前記貯湯タンクから前記冷媒対水熱交換器へ水を流すバイパス管を前記供給管に並列に接続し、このバイパス管ｓに第二電磁弁を設け、前記供給管において前記貯湯タンクからの水が前記バイパス管へ流れる分岐点と前記冷媒対水熱交換器との間に第一電磁弁を設け、前記貯湯タンクから流出する水の温度を検知する温度検知手段と、この温度検知手段の検知結果に応じて前記第一、第二電磁弁を選択的に弁開閉制御する制御手段とを備え、前記制御手段は、前記温度検知手段により検知した水温が前記冷媒対水熱交換器の加熱限界温度よりも低いときに、前記第一電磁弁を閉じる一方で前記第二電磁弁を開く制御を行い、水温が前記冷媒対水熱交換器の加熱限界温度に達したときに前記第一電磁弁を開く一方で前記第二電磁弁を閉じる制御を行うことを特徴とするものである。
【０００９】
請求項４記載の発明は、請求項１乃至３のいずれかに記載の発明において、前記蒸発器は、フィンとこのフィンに装入されるチューブとを備え、このチューブは、冷媒を流す冷媒チューブと水を流す水チューブとからなり、この水チューブが前記放熱器を構成することを特徴とするものである。
【００１０】
請求項５記載の発明は、請求項１乃至３のいずれかに記載の発明において、前記放熱器は、前記蒸発器の風下に配置されることを特徴とするものである。
【００１２】
請求項６記載の発明は、請求項１乃至３のいずれかに記載の発明において、前記放熱器は、前記蒸発器の風下に配置され、かつ、前記蒸発器に隣接して配置されることを特徴とするものである。
【００１３】
請求項７記載の発明は、請求項５または６記載の発明において、前記放熱器は、蛇行形状の管であることを特徴とする特徴とするものである。
【００１４】
請求項８記載の発明は、請求項７に記載の発明において、前記管に放熱フィンを取り付けたことを特徴とするものである。
【００１５】
請求項９記載の発明は、請求項７に記載の発明において、前記管に繊維状放熱体を巻き付けたことを特徴とするものである。
【００１６】
これらの発明には、次の作用がある。
【００１７】
冷媒対水熱交換器に流入する水の温度を低下させることにより、冷媒対水熱交換器の熱交換効率を向上させることができ、貯湯タンク内の貯蓄熱量を上げることができる。
【００１８】
【発明の実施の形態】
以下、本発明の実施の形態を図面に基づいて説明する。
【００１９】
〔Ａ〕第１の実施の形態
図１は、本発明に係るヒートポンプ式給湯装置の第１の実施の形態を示し、貯湯タンク内の水を加熱し、同タンク内に湯を貯溜するときの回路図である。
【００２０】
この図１に示すように、ヒートポンプ式給湯装置１０は、ヒートポンプユニット１１、給湯ユニット１２、蛇口１３、浴槽１４、並びに制御装置１５Ａ及び１５Ｂを有して構成される。
【００２１】
ヒートポンプユニット１１は、圧縮機１６、冷媒対水熱交換器２７、蒸発器１８及びアキュムレータ１７が冷媒管１９に順次配設されて構成される。圧縮機１６は冷媒を圧縮し、上記冷媒対水熱交換器２７は圧縮機１６から吐出された冷媒の熱により湯または水を加熱する。この実施形態において、冷媒は、例えば二酸化炭素を多く含有する冷媒等の自然冷媒である。二酸化炭素を多量に含有する冷媒の場合には、通常、フロン系冷媒に比べ冷媒圧力が高くなる。
【００２２】
前記した給湯ユニット１２は、貯湯タンク２６及び浴槽用熱交換器（水対水熱交換器）２８、並びに蛇口給湯ライン７１及び浴槽注湯ライン７２等を有して構成される。
【００２３】
上記貯湯タンク２６と冷媒対水熱交換器２７とは、給湯用循環ポンプ３４を備えた供給管３６と、流量調整弁３５及び第１切換電磁弁７３を備えた貯湯管４４とにより連結されて、第１切換電磁弁７３の開操作時に、図１の太線に示すように、水が循環する給湯用水循環回路Ｎが構成される。
【００２４】
冷媒に、二酸化炭素を多く含有する冷媒を用いた場合、上記のように、フロン系冷媒に比べ冷媒圧力が高くなり、冷媒対水熱交換器２７で加熱される湯の温度は９０℃程度にまで上昇する。
【００２５】
貯湯タンク２６の底部２６Ｂには、減圧逆止弁３７を配設した第１水道水配管３８が接続されて、貯湯タンク２６内へ常に水道水が供給可能とされる。したがって、貯湯タンク２６内に常時水道水圧が作用する。
【００２６】
また、この貯湯タンク２６の天部２６Ａには第一開閉弁９１を有した天部出湯配管４０が接続され、上記貯湯タンク２６の天部２６Ａと底部２６Ｂとのほぼ中間部２６Ｃには第二開閉弁９２を有した中間部出湯配管３３が接続される。これら配管４０，３３に接続された第一、第二開閉弁９１，９２は、貯湯タンク２６の中間部２６Ｃに設置された温度センサ９４によって検知される湯温に応じ、制御装置１５Ｂを介して選択的に開閉制御される。
【００２７】
上記圧力逃し弁３９は、湯または水が過剰に加熱されて、貯湯タンク２６内の圧力が過大となった時に、この圧力を解放するものである。
【００２８】
上記浴槽用熱交換器２８は、貯湯タンク２６内の湯を循環させて浴槽１４内の湯を追い焚きする水対水熱交換器である。貯湯タンク２６内の湯は、天部２６Ａから導出された循環配管１０１中の循環ポンプ１０２の駆動により汲み出される。この汲み出された湯は、循環配管１０１を経て、浴槽用熱交換器２８に導かれて、浴槽１４内の湯または水を加熱（追い焚き）した後に、第２切換電磁弁７４、及び戻り配管１０３を経て、貯湯タンク２６の天部２６Ａと底部２６Ｂとの中間部２６Ｃに接続される。
【００２９】
つまり、浴槽用熱交換器２８は、貯湯タンク２６内の湯を導く導入水配管７５と、浴槽１４内の湯または水を導く第１浴槽用水配管５１との接触によって、これらの導入水配管７５と第１浴槽用水配管５１内とをそれぞれ流れる湯または水を熱交換可能とするように構成されたものである。導入水配管７５と第１浴槽用水配管５１は、浴槽用熱交換器２８を構成する部分においては、偏平管形状に形成されて接触面積が増大される。
【００３０】
また、浴槽用熱交換器２８と浴槽１４とを連通する上記第１浴槽用水配管５１は、浴槽用循環ポンプ４６、フィルタ４７、水位センサ４８、サーミスタ４９及びフロースイッチ５０を備える。
【００３１】
この第１浴槽用水配管５１により、浴槽用熱交換器２８と浴槽１４との間で湯または水が循環する浴槽用水循環回路Ｐが構成される。
【００３２】
水位センサ４８は、第１浴槽用水配管５１を介して浴槽１４に連通していることから、この浴槽１４内の湯または水の水位を検出する。また、サーミスタ４９は、浴槽用水循環回路Ｐを湯または水が循環している時、その湯温を検知して、浴槽１４内の湯温を間接的に検出する。また、フロースイッチ５０は、浴槽用水循環回路Ｐを湯または水が循環していることを検出する。更に、フィルタ４７は、浴槽１４内に配設されたフィルタ５６とともに、湯を濾過する。
【００３３】
浴槽１４内に後述の如く注湯がなされて、この浴槽１４内に湯が張られ、この浴槽１４内の湯を追い焚きする時、循環ポンプ１０２及び浴槽用循環ポンプ４６が稼動される。すると、貯湯タンク２６内の湯と、浴槽１４内の湯が、共に浴槽用熱交換器２８内へ流入し、ここで熱交換し、浴槽１４内の湯が、貯湯タンク２６内の湯によって追い焚きされる。浴槽用熱交換器２８で仕事をした湯は、その熱交換により約５０℃に温度低下して、戻り配管１０３を経て、貯湯タンク２６の中間部２６Ｃに流入する。
【００３４】
上記蛇口給湯ライン７１は、給湯配管５９、混合制御弁５７及びフローセンサ５８を備えて構成される。貯湯タンク２６には、第１水道水配管３８を介して水道水圧が作用していることから、蛇口１３を開くことにより、貯湯タンク２６内の湯が蛇口１３へ供給可能とされる。
【００３５】
上記フローセンサ５８は、給湯配管５９内を流れる湯量を検出する。また、混合制御弁５７は、第２水道水配管６２を介して第１水道水配管３８の減圧逆止弁３７下流側に接続される。
【００３６】
従って、混合制御弁５７の開度制御により、給湯配管５９からの湯と第２水道水配管６２からの水道水とが混合されて、蛇口１３から給湯される湯が約６０℃以下、例えば４２℃に調整される。
【００３７】
上記浴槽注湯ライン７２は、給湯配管５９におけるフローセンサ５８下流側と、第１浴槽用水配管５１における浴槽用循環ポンプ４６、フロースイッチ５０間とを第２浴槽用水配管６８により接続することにより構成され、貯湯タンク２６内の湯を浴槽１４へ注湯可能とする。この第２浴槽用水配管６８には、給湯配管５９の側からフローセンサ６４、注湯用電磁弁６５、リリーフ手段６６、逆止弁６７、電磁弁５４が順次配設されている。
【００３８】
ここで、フローセンサ６４は、第２浴槽用水配管６８内を流れる湯量を検出する。また、リリーフ手段６６及び逆止弁６７は、過剰に加熱された湯が第２浴槽用水配管６８内を流れたときに、その圧力を逃がすものである。電磁弁５４は、風呂への給湯時に開かれ、追い焚き時に閉じられる。
【００３９】
浴槽用循環ポンプ４６を停止させた状態で、注湯用電磁弁６５，５４を開操作すると、貯湯タンク２６内の湯が、給湯配管５９の一部及び第２浴槽用水配管６８を流れて第１浴槽用水配管５１内に至り、この第１浴槽用水配管５１内でフロースイッチ５０、サーミスタ４９、水位センサ４８及びフィルタ４７を経て浴槽１４へ注湯される。
【００４０】
浴槽１４内に貯湯タンク２６から適量の湯が注湯されたことが水位センサ４８により検出された段階で、注湯用電磁弁６５，５４が閉操作される。その後、浴槽１４内の湯温が適温以下に低下したことがサーミスタ４９により検知されたときに、上記のように、浴槽１４内の湯または水が加熱（追い焚き）され、浴槽１４内の湯が保温される。
【００４１】
前記制御装置１５Ａは、ヒートポンプユニット１１に設置されて、圧縮機１６の運転（容量制御を含む）及び停止を制御する。また、前記制御装置１５Ｂは、給湯ユニット１２に設置されて、給湯用循環ポンプ３４及び浴槽用循環ポンプ４６の稼働または停止、第１切換電磁弁７３、第２切換電磁弁７４、注湯用電磁弁６５及び５４の開閉、流量調整弁３５及び混合制御弁５７の開度等を制御する。
この制御装置１５Ｂは、ヒートポンプユニット１１の制御装置１５Ａと通信線７８により接続されて、双方向の通信が可能とされるとともに、リモートコントローラ７９に有線または無線状態で接続される。
【００４２】
本実施形態では、上記蒸発器１８が、フィン２１とチューブ２２とを備えて構成され、このチューブ２２は冷媒の流れる冷媒チューブ２２Ａと、水を流す水チューブ２２Ｂとで構成される。この冷媒チューブ２２Ａを流れる冷媒と水チューブ２２Ｂを流れる水とはフィン２１を介して熱交換可能であり、特に、冷媒よりも高い温度の水が流入した場合、水の熱はフィン２１によって放熱されると共に、冷媒に吸熱される。ここで冷媒チューブ２２Ａは、ヒートポンプユニット１１の機器類を接続する冷媒管１９に接続され、水チューブ２２Ｂは放熱器を構成し、上記供給管３６に接続されている。
【００４３】
次に、冷媒対水熱交換器２７により水を加熱し、貯湯タンク２６内に加熱した湯を貯留するときの動作について説明する。
【００４４】
冷媒対水熱交換器２７に供給される水の加熱限界温度は約４０〜５０℃程度であり、この温度に達した水が冷媒対水熱交換器２７に供給されると、冷媒と水との熱交換効率が著しく低下する。
【００４５】
本実施形態では、給湯用循環ポンプ３４の稼働により、貯湯タンク２６の底部２６Ｂの水が、供給管３６を流れ、放熱器として機能する水チューブ２２Ｂに常に送給されるため、この水は冷却される。この冷却された水が冷媒対水熱交換器２７に送給されると、この冷媒対水熱交換器２７は、送給された水をヒートポンプユニット１１の圧縮機１６から吐出された冷媒ガスの熱によって加熱する。この加熱された水は、貯湯管４４を流れ、第１切換電磁弁７３の開操作時に流量調整弁３５により流量調整され、貯湯タンク２６の天部２６Ａへ導かれ、貯湯タンク２６内に上限約９０℃の湯が貯溜可能とされる。
【００４６】
本実施の形態によれば、高温（約６０〜９０℃）給湯が必要なとき、供給管３６によって貯湯タンク２６の底部２６Ｂから導かれる水の温度が、冷媒対水熱交換器２７における加熱限界温度（約４０〜５０℃）に達する温度であっても、放熱器として機能する蒸発器１８の水チューブ２２Ｂを通過することにより冷却され加熱限界温度よりも低い温度にできるので、冷媒対水熱交換器２７において水を高温（約６０〜９０℃）まで加熱することができる。この結果、冷媒対水熱交換器２７の熱交換効率を向上させることができ、貯湯タンク２６内の貯蓄熱量を上げることができる。
【００４７】
適正な温度の湯を貯湯タンク２６に貯留することができるので、効率的な熱量貯蓄ができ、貯湯タンク２６の容量を小さくすることができる。
【００４８】
貯湯タンク２６の底部２６Ｂから導かれた水の熱が、蒸発器１８で冷媒に吸熱されることによって、冷媒の蒸発が促進され、蒸発器１８の効率が向上する。また冷温時における着霜を回避できる。
【００４９】
〔Ｂ〕第２の実施の形態
ここでは、第１の実施の形態における蒸発器１８、すなわち水チューブ２２Ｂをバイパスして、貯湯タンク２６から冷媒対水熱交換器２７に水を流すためのバイパス管４５が接続され、このバイパス管４５には第一電磁弁２１が接続されるとともに、上記貯湯タンク２６からの水を水チューブ２２Ｂに流すための供給管３６には第二電磁弁２２が接続されている。この供給管３６には温度センサ２５が設置され、温度センサ２５により水の温度が検知されると、制御装置１５Ａは、この温度センサ２５の検知結果に応じて第一、第二電磁弁２１，２２を選択的開閉する弁開閉制御を行う。
【００５０】
温度センサ２５により検知した水温が冷媒対水熱交換器２７における加熱限界温度よりも低いとき、第一電磁弁２３が開かれて、第二電磁弁２４が閉じられる。これによって、給湯用循環ポンプ３４により貯湯タンク２６の底部２６Ｂから導かれた水は、水チューブ２２Ｂへ供給されずに、直接、冷媒対水熱交換器２７へ供給されて冷媒対水熱交換器２７で加熱される。
【００５１】
また、温度センサ２５により検知した水温が冷媒対水熱交換器２７における加熱限界温度に達したとき、制御装置１５Ａにより第一電磁弁２３が閉じられて、第二電磁弁２４が開かれる。この制御によって、給湯用循環ポンプ３４により貯湯タンク２６の底部２６Ｂから導かれた水は、蒸発器１８の水チューブ２２Ｂへ供給され、ここで冷却された後、冷媒対水熱交換器２７へ供給されて冷媒対水熱交換器２７で加熱される。
【００５２】
この第２の実施の形態では、第１の実施形態の効果の他に、さらに温度センサ２５の検知結果に応じて第一、第二電磁弁２３，２４が制御装置１５Ａにより選択的に弁開閉制御されることから、冷媒対水熱交換器２７へ供給される水の冷却が必要なときだけ、水チューブ２２Ｂで水を冷却することができるという効果が得られる。
【００５３】
この第２の実施の形態では、供給管３６に設けた第二電磁弁２４を省略することが可能である。蒸発器１８の水チューブ２２Ｂは水の抵抗が大きく、バイパス管４５の第一電磁弁２３が制御装置１５Ａにより開制御されたときは、供給管３６により導かれた水が主にこのバイパス管４５を通過して流れ、バイパス管４５の第一電磁弁２３が制御装置１５Ａにより閉制御されたときは、供給管３６により導かれた水が蒸発器１８の水チューブ２２Ｂの方へ流れるからである。また、第一電磁弁２３と第二電磁弁２４とを設ける代わりに、バイパス管４５と供給管３６との流入側の接続点に三方弁（図示せず）を設け、制御装置１５Ａによりこの三方弁を制御してもよい。
【００５４】
〔Ｃ〕第３の実施の形態
この実施の形態では、図３（ａ），図３（ｂ）に示すように、蒸発器１８とは別個に、後述の放熱器２９が設置される。
【００５５】
図３（ａ）に示すように、ヒートポンプユニット１１の筐体１１１内には、図中で左側面から後側面に沿って蒸発器１８が配置され、この蒸発器１８の前方にファン４２が配置される。蒸発器１８により冷却された空気はこのファン４２により後方から前方に送風される。また、圧縮機１６及びアキュムレータ１７は図中で右前方に配置され、圧縮機１６及びアキュムレータ１７と、蒸発器１８とは仕切り板４１により仕切られる。
【００５６】
仕切り板４１の図中で後方には貯湯タンク２６の底部２６Ｂから導かれる水の熱を放熱させる放熱器２９が、蒸発器１８とファン４２の間に延びるように蒸発器１８に隣接して配置され、この放熱器２９は蒸発器１８の前方であってファン４２のプロペラ４３の図中で右側後方まで延出して形成される。
【００５７】
放熱器２９は、図３（ｂ）に示すように、蛇行形状の銅管３０であり、蒸発器１８の高さ方向一杯に延在する。この放熱器２９は、貯湯タンク２６から水チューブ２２Ｂに水を流すための供給管３６に接続される。
【００５８】
給湯用循環ポンプ３４の稼働により、貯湯タンク２６の底部２６Ｂの水が、供給管３６を流れ、放熱器２９に送給される。蒸発器１８で冷媒の蒸発によって冷やされた空気がファン４２によって放熱器２９である銅管３０に送風されることにより、この放熱器２９の銅管３０に送給された水が冷却される。この銅管３０で冷却された水は、冷媒対水熱交換器２７へ送給されて加熱され、貯湯管４４を流れて貯湯タンク２６の天部２６Ａに導かれる。
【００５９】
この第３の実施の形態では、蒸発器１８と別個に放熱器２９を設けたため、上記実施の形態と異なり、蒸発器１８に水チューブ２２Ｂを設ける必要がなく、加工工数が削減される。
【００６０】
第３の実施の形態では、放熱器２９が、図３（ａ），（ｂ）に示すように、ファン４２のプロペラ４３の右側後方まで延出した場合を説明したが、図４（ａ），（ｂ）に示すように、放熱器２９を仕切り板４１に沿うように設置してもよい。この場合、場所をとらず取付が容易となる。
【００６１】
また、図５（ａ）に示すように、放熱器２９をプロペラ４３の左側後方まで延出し、図５（ｂ）に示すように、放熱器２９を下部に設置してもよい。この場合、蒸発器１８の下部の方が温度の低い空気が流れるので、放熱器２９を流れる水の冷却が促進される等の効果が得られる。
【００６２】
また、放熱器２９として銅管３０のみの場合を説明したが、図６に示すように、アルミプレートフィン３１を銅管３０に取り付けてもよい。更に、この放熱器２９を蒸発器１８に隣接して配置し、蒸発器１８の管板を共有させてもよい。また、図７に示すように、アルミ繊維状放熱体３２を銅管３０に巻き付けてもよい。
【００６３】
また、上記実施の形態では貯湯タンク２６の底部２６Ｂから導いた水を蒸発器１８の吸熱作用を利用して冷却するものであったが、直接水道水を貯湯タンク２６の底部２６Ｂに流入させて冷却してもよい。これによって貯湯タンク２６の底部２６Ｂの水だけが冷却され、貯湯タンク２６の底部２６Ｂに設置の温度センサ（図示せず）により水温が検知され、貯湯タンク２６の底部２６Ｂの水温が加熱限界温度よりも低くなるまで水道水が流入される。ここで貯湯タンク２６内の水が満杯となるときは貯湯タンク２６の底部２６Ｂから水を抜けばよい。
【００６４】
以上、本発明を上記実施の形態に基づいて説明したが、本発明はこれに限定されるものではないことは明らかである。
【００６５】
【発明の効果】
本発明では、冷媒対水熱交換器の熱交換効率を向上させることができ、貯湯タンク内の貯蓄熱量を上げることができる。
【図面の簡単な説明】
【図１】本発明に係るヒートポンプ式給湯装置の第１の実施の形態を示す回路図である。
【図２】本発明に係るヒートポンプ式給湯装置の第２の実施の形態を示す回路図である。
【図３】本発明に係るヒートポンプ式給湯装置の第３の実施の形態を示すヒートポンプユニットの筐体内の配置図であり、（ａ）はヒートポンプユニットの筐体内の上面図、（ｂ）は図３（ａ）のヒートポンプユニットの筐体内の正面図である。
【図４】ヒートポンプユニットの筐体内の配置図であり、（ａ）はヒートポンプユニットの筐体内の上面図、（ｂ）は図４（ａ）のヒートポンプユニットの筐体内の正面図である。
【図５】ヒートポンプユニットの筐体内の配置図であり、（ａ）はヒートポンプユニットの筐体内の上面図、（ｂ）は図５（ａ）のヒートポンプユニットの筐体内の正面図である。
【図６】（ａ）は放熱器を示す正面図であり、（ｂ）は図６（ａ）のＡ−Ａ線に沿う断面図である。
【図７】（ａ）は放熱器を示す正面図であり、（ｂ）は図７（ａ）のＢ−Ｂ線に沿う断面図である。
【符号の説明】
１０  ヒートポンプ式給湯装置
１１  ヒートポンプユニット
１５Ａ  制御装置（制御手段）
１６  圧縮機
１８  蒸発器
２１  フィン
２２  チューブ
２２Ａ  冷媒チューブ
２２Ｂ  水チューブ
２３  第一電磁弁
２４  第二電磁弁
２５  温度センサ（温度検知手段）
２６  貯湯タンク
２７  冷媒対水熱交換器
２９  放熱器
３０  銅管（管）
３１  アルミプレートフィン（放熱フィン）
３２  アルミ繊維状放熱体（繊維状放熱体）
３６  供給管
４５  バイパス管
１００  ヒートポンプ式給湯装置
【図１】
0004567909.tif 000002
【図２】
0004567909.tif 000003
【図３】
0004567909.tif 000004
【図４】
0004567909.tif 000005
【図５】
0004567909.tif 000006
【図６】
0004567909.tif 000007
【図７】
0004567909.tif 000008